(57)【要約】【課題】ユーザに与える不快感、違和感を抑制する。【解決手段】ウェアラブルスピーカシステム１００は、スピーカユニット１０２と、端部の一方がスピーカユニット１０２の内部と連通するバスレフダクト１１１であって、エンクロージャ１０１の内部に格納されているバスレフダクト１１１とを備え、エンクロージャ１０１には開口部１０３が設けられ、バスレフダクト１１１の端部の他方はエンクロージャ１０１の内部に格納される。【選択図】図１
2020136963.tif 000002
【特許請求の範囲】
【請求項１】
Ｕ字状のエンクロージャを有するウェアラブルスピーカシステムであって、
スピーカユニットと、
端部の一方が、前記スピーカユニットの内部と連通するバスレフダクトであって、前記エンクロージャの内部に格納されているバスレフダクトと、を備え、
前記エンクロージャには開口部が設けられており、前記バスレフダクトの端部の他方は前記エンクロージャの内部に格納されていることを特徴とするウェアラブルスピーカシステム。
【請求項２】
前記開口部は、前記エンクロージャのＵ字状の内側側面に設けられていることを特徴とする請求項１に記載のウェアラブルスピーカシステム。
【請求項３】
前記バスレフダクトの前記スピーカユニットの内部と連通していない端部に吸音材が備えられていることを特徴とする請求項１または２に記載のウェアラブルスピーカシステム。
【請求項４】
前記エンクロージャの内部に、前記スピーカユニットと内部同士で連通する蛇腹筒を備え、
前記バスレフダクトは前記蛇腹筒を貫通するように設けられており、
前記開口部は、前記エンクロージャの前記蛇腹筒と対応する位置に設けられていることを特徴とする請求項１〜３のいずれか１項に記載のウェアラブルスピーカシステム。
【請求項５】
前記開口部は複数設けられているとともに、前記エンクロージャの端部から離れるに従って、大きくなることを特徴とする請求項１〜４のいずれか１項に記載のウェアラブルスピーカシステム。
【発明の詳細な説明】
【技術分野】
【０００１】
本発明は、ユーザが耳以外の身体の一部に装着して使用するウェアラブルスピーカシステムに関する。
【背景技術】
【０００２】
スピーカシステムにおいて、臨場感を得るために、大口径スピーカやヘッドフォンが使用される場合がある。しかし、大口径スピーカを有するスピーカシステムを用いる場合、ある程度の空間の広さが必要となる。また、ヘッドフォンを用いる場合、ヘッドフォンはユーザの両耳を挟むように用いるため、使用時間が長くなると、ユーザに対し疲労感を与えてしまう。
【０００３】
そこで、特許文献１、２には、ユーザの体に装着し、ユーザの耳を塞がないで使用するウェアラブルスピーカシステムが記載されている。例えば、特許文献１には、Ｕ字形のエンクロージャを備えるウェアラブルスピーカシステムであって、エンクロージャに開口部を設け、当該開口部がバスレフダクトの端部となっているウェアラブルスピーカシステムが記載されている。また、特許文献２には、スピーカユニットと蛇腹筒とでウェアラブルスピーカシステムを構成し、スピーカユニットと蛇腹筒との内部同士が連通されたウェアラブルスピーカシステムが記載されている。
【先行技術文献】
【特許文献】
【０００４】
【特許文献１】特開２０１８―１４８４７９号公報（２０１８年９月２０日公開）
【特許文献２】特開２０１８―１４８４８０号公報（２０１８年９月２０日公開）
【発明の概要】
【発明が解決しようとする課題】
【０００５】
しかしながら、上述のような従来技術は以下の問題がある。特許文献１、２に記載の技術では、バスレフダクトの端部がそのままエンクロージャの開口部となっており、バスレフダクトからの出力に伴う風切音が、直接外部に出力され、ユーザに不快感、違和感を与えてしまう可能性がある。
【０００６】
本発明の一態様は、上記の課題に鑑みてなされたものであり、その目的は、ユーザに与える不快感、違和感を抑制したウェアラブルスピーカシステムを実現することにある。
【課題を解決するための手段】
【０００７】
上記の課題を解決するために、本発明の一態様に係るウェアラブルスピーカシステムは、Ｕ字状のエンクロージャを有するウェアラブルスピーカシステムであって、スピーカユニットと、端部の一方が、前記スピーカユニットの内部と連通するバスレフダクトであって、前記エンクロージャの内部に格納されているバスレフダクトと、を備え、前記エンクロージャには開口部が設けられており、前記バスレフダクトの端部の他方は前記エンクロージャの内部に格納されていることを特徴としている。
【発明の効果】
【０００８】
本発明の一態様によれば、バスレフダクトの端部が、エンクロージャの開口部となっていないので、バスレフダクトから出力される風切音がエンクロージャから直接出力されることがない。これにより、ユーザに対し、風切音が直接聞こえてしまうということを抑制することでき、ユーザに不快感、違和感を与えてしまうことを防止することができるという効果を奏する。
【図面の簡単な説明】
【０００９】
【図１】本発明の実施形態に係るウェアラブルスピーカシステムの概要を示す図であり、（ａ）はウェアラブルスピーカシステムの正面図であり、（ｂ）は斜視図である。
【図２】上記ウェアラブルスピーカシステムの使用例を説明するための図である。
【図３】上記ウェアラブルスピーカシステムのエンクロージャの内部構造を説明するための概略図である。
【図４】上記ウェアラブルスピーカシステムのエンクロージャの内部構造を説明するための概略図である。
【図５】上記ウェアラブルスピーカシステムのエンクロージャの内部構造を説明するための概略図である。
【図６】、上記ウェアラブルスピーカシステムにおいて、バスレフダクトの端部を介して開口部から空気が出入りする様子を説明するための図であり、エンクロージャの外面から見た図であり、（ｂ）はエンクロージャの内部を示す図であり、（ｃ）はエンクロージャの内部であり、かつ、蛇腹筒を取り除いた状態を示す図である。
【図７】本実施形態において、おもりを取り付けたバスレフダクトと蛇腹筒との関係を示す図である。
【図８】本実施形態における、バスレフダクトとおもりとの関係を示す図であり、（ａ）は側面図であり、（ｂ）は斜視図である。
【図９】本実施形態における、蛇腹筒とバスレフダクトとの関係を示す図であり、（ａ）は正しい方向からバスレフダクトを蛇腹筒に挿入する例を示す図であり、（ｂ）は誤った方向からバスレフダクトを蛇腹筒に挿入する例を示す図である。
【図１０】（ａ）、（ｂ）は、本実施形態における蛇腹筒の両端部の径の違いによる利点を説明するための図である。
【図１１】本実施形態における、バスレフダクトの固定部の詳細を示す図であり、（ａ）は、蛇腹筒に、おもりを取り付けたバスレフダクトが挿入されている状態の側面図であり、（ｂ）は（ａ）のＤ領域を拡大し、おもりを取り除いた状態を示す図である。
【発明を実施するための形態】
【００１０】
〔ウェアラブルスピーカシステム１００の全体構成〕
以下、本発明の一実施形態について、詳細に説明する。まず、図１を参照して本実施形態に係るウェアラブルスピーカシステム１００の概要を説明する。図１はウェアラブルスピーカシステム１００の概要を示す図であり、（ａ）はウェアラブルスピーカシステム１００の正面図であり、（ｂ）は斜視図である。なお、図１に示す、蛇腹筒１１０、バスレフダクト（ダクトチューブ）１１１、およびおもり（錐体）１１２は、エンクロージャ１０１の内部に格納されており、外部からは見えないため、破線で示している。
【００１１】
なお、本実施形態では、ウェアラブルスピーカシステム１００において、スピーカユニット１０２から音が出力される方向、すなわち、使用時にユーザの耳に向く方向をＹ方向、スピーカユニット１０２の右スピーカ（スピーカユニット１０２Ｒ）から左スピーカ（スピーカユニット１０２Ｌ）の方向をＸ方向、Ｘ方向およびＹ方向に直交する方向をＺ方向とする。また、ウェアラブルスピーカシステム１００を−Ｙ方向に見た面を正面と呼ぶ。
【００１２】
図１の（ａ）および（ｂ）に示すように、ウェアラブルスピーカシステム１００は、エンクロージャ１０１を備える。エンクロージャ１０１は、正面から見た場合、略Ｕ字形（Ｕ字状）となっている。なお、エンクロージャ１０１を正面から見た場合の形状は、馬蹄形、逆Ｕ字形などと表現することもできる。エンクロージャ１０１は、中央部から±Ｘ方向からややＺ方向に延びる部分（首後部分１０１Ａ）と、当該首後部分の端部からそれぞれＺ方向に延びる部分（首横部分１０１Ｂ）とを含む。
【００１３】
首後部分１０１Ａは、可撓性のある部材で構成されている。首後部分１０１Ａは、ユーザが装着する際に若干撓むことにより、ウェアラブルスピーカシステム１００を容易にユーザの首回りに装着することができる。一方、首横部分１０１Ｂは、首後部分１０１Ａよりも固い部材で構成されている。
【００１４】
また、スピーカユニット１０２は、エンクロージャ１０１の端部に設けられている。なお、使用時にユーザの右耳に対応する側をスピーカユニット１０２Ｒ、左耳に対応する側をスピーカユニット１０２Ｌと呼び、両者を区別する必要がないときは単にスピーカユニット１０２と呼ぶ。
【００１５】
スピーカユニット１０２は、公知の技術で実現可能であるので詳細な説明は省略するが、Ｙ方向に向けて開口を有するスピーカを有し、スピーカには、図示しないフレーム、磁気回路、振動板等が含まれる。
【００１６】
開口部１０３は、エンクロージャ１０１に設けられている開口であり、本実施形態では、エンクロージャ１０１の首横部分１０１Ｂの内側側面に円形で４個ずつ、エンクロージャ１０１に沿って設けられており、首後部分１０１Ａに向かうに従って円の半径が大きくなっている。開口部１０３は、エンクロージャ１０１の左右の首横部分１０１Ｂそれぞれに設けられており、スピーカユニット１０２Ｒに対応する側を開口部１０３Ｒ、スピーカユニット１０２Ｌに対応する側を開口部１０３Ｌとする。なお、両者を区別する必要がないときは単に開口部１０３と呼ぶ。また、開口部１０３の形状、数は一例であり、円形に限られるものではなく、数も４個に限られない。
【００１７】
なお、開口部１０３が設けられているエンクロージャ１０１の首横部分１０１Ｂには、蛇腹筒１１０が設けられている。よって、開口部１０３は、エンクロージャ１０１の蛇腹筒１１０と対応する位置に設けられているということもできる。
【００１８】
次に、図２を参照して、ウェアラブルスピーカシステム１００の使用例を説明する。図２は、ウェアラブルスピーカシステム１００の使用例を説明するための図である。図２に示すように、ウェアラブルスピーカシステム１００は、エンクロージャ１０１の首後部分１０１Ａを、ユーザの首の後方に位置させ、エンクロージャ１０１の首横部分１０１Ｂを、ユーザの首の斜め後方から首両側面を経て左右斜め前方に位置させるように、首に掛けて使用する。これにより、スピーカユニット１０２から出力される音がユーザの耳に適切に届くことになる。また、ウェアラブルスピーカシステム１００はユーザの耳を直接塞ぐこともないため、従来のヘッドフォンのように使用とともにユーザに疲労感等を与えることも抑制することができる。
【００１９】
次に、図３〜図５を参照して、エンクロージャ１０１の内部構造について説明する。図３〜図５は、エンクロージャ１０１の内部構造を説明するための概略図である。なお、図３〜図５では、発明の説明に必要な部材を主に示しており、エンクロージャ１０１の内部に含まれる全ての部材を示しているものではない。なお、図３は、エンクロージャ１０１の内部を正面（Ｙ方向）から見た図であり、図４は、エンクロージャ１０１の内部を側面（Ｘ方向）から見た図であり、図５は、エンクロージャ１０１の内部を反対面（−Ｙ方向）から見た図である。
【００２０】
図３〜図５に示すように、エンクロージャ１０１の内部において、スピーカユニット１０２の内部は蛇腹筒１１０の端部、およびバスレフダクト１１１の端部と接続されている。また、バスレフダクト１１１は筒状であり、中央部分にはおもり１１２が取付けられ、おもり１１２は蛇腹筒１１０の略中央で保持されている。
【００２１】
また、バスレフダクト１１１のスピーカユニット１０２とは反対側の端部には吸音材１０４が設けられている。
【００２２】
なお、図３〜図５では、ウェアラブルスピーカシステム１００における一方の端部を示しており、他端も同様の構成となっている。
【００２３】
蛇腹筒１１０およびバスレフダクト１１１は、一方の端部がスピーカユニット１０２側、他方の端部が首後部分１０１Ａ側となるように、エンクロージャ１０１の内部、より詳細には首横部分１０１Ｂの首後部分１０１Ａ寄りに配置されている。蛇腹筒１１０は、両端がエンクロージャ１０１の内面に形成された固定部で固定されている。そして、蛇腹筒１１０は、蛇腹状の筒であり、側面に谷折りと山折りとの繰り返しが形成されている。側面に谷折りと山折りとの繰り返しが形成されているので、蛇腹筒１１０は伸縮可能である。また、蛇腹筒１１０の略中央は、おもり１１２を保持できるように、おもり１１２の長さとほぼ同様の長さで谷折りおよび山折りが形成されていない部分を含む。
【００２４】
このように、エンクロージャ１０１の内部でスピーカユニット１０２の内部と蛇腹筒１１０の端部およびバスレフダクト１１１の端部とが接続されることにより、スピーカユニット１０２内の気圧の変動は、エンクロージャ１０１の内部空間を介し、蛇腹筒１１０およびバスレフダクト１１１に伝わる。この気圧の変動により、バスレフダクト１１１に取り付けられているおもり１１２が蛇腹筒１１０内で振動することになる。そして、この振動によりエンクロージャ１０１が振動する。これにより、スピーカユニット１０２による出力、すなわち、スピーカユニット１０２から出力される音に応じてエンクロージャ１０１が振動することになるので、ユーザに対し、出力される音に応じた振動を感じさせることができる。換言すれば、ユーザに対し臨場感を与えることができる。
【００２５】
また、バスレフダクト１１１のスピーカユニット１０２とは反対側の端部は、エンクロージャ１０１の首後部分１０１Ａ側に開口している。この開口は、エンクロージャ１０１の内部空間を介して開口部１０３につながる。これにより、スピーカユニット１０２の振動板の振動に応じて、エンクロージャ１０１の内部の気圧が変動すると、バスレフダクト１１１の内部の気圧が変動し、バスレフダクト１１１の端部を介して開口部１０３からバスレフダクト１１１からの出力の基づく音が出力されることになる。振動板により発生するスピーカユニット１０２の内部の気圧変動のうち高周波成分は低周波成分よりも減衰しながらバスレフダクト１１１に伝わるので、バスレフダクト１１１からの出力は、主に低周波成分の大きさに応じたものとなる。したがって、開口部１０３から出力される音も主に低周波成分に応じたものとなる。これにより、ユーザは、開口部１０３の出力から低音を感じることができる。
【００２６】
次に、図６を参照して、バスレフダクト１１１からの出力に伴う風切音がユーザに届き難くなった理由を説明する。図６は、バスレフダクト１１１の端部を介して開口部１０３から空気が出入りする様子を説明するための図である。図６の（ａ）は、エンクロージャ１０１の外面から見た図であり、（ｂ）はエンクロージャ１０１の内部を示す図であり、（ｃ）はエンクロージャ１０１の内部であり、かつ、蛇腹筒１１０を取り除いた状態を示す図である。
【００２７】
従来技術では、開口部１０３がバスレフダクト１１１の端部となっていた。一方、図６に示すように、本実施形態では、開口部１０３とバスレフダクト１１１の端部とはエンクロージャ１０１の内部を介してつながっている。よって、バスレフダクト１１１の端部から出た空気は、図６の破線の矢印で示すように、エンクロージャ１０１の内部を介して開口部１０３から出ることになる。これにより、従来技術のようにバスレフダクト１１１からの風切音が直接ユーザに聞こえてしまうということを抑制することができる。さらに、本実施形態ではバスレフダクト１１１の端部に吸音材１０４を備えている。これにより、バスレフダクト１１１からの風切音がユーザに聞こえてしまうということをより抑制することができる。
【００２８】
以上のように、本実施形態に係るウェアラブルスピーカシステム１００は、Ｕ字状のエンクロージャ１０１を有するウェアラブルスピーカシステム１００であって、スピーカユニット１０２と、端部の一方が、前記スピーカユニット１０２の内部と連通するバスレフダクト１１１であって、前記エンクロージャ１０１の内部に格納されているバスレフダクト１１１と、を備え、前記エンクロージャ１０１には開口部１０３が設けられており、前記バスレフダクト１１１の端部の他方は前記エンクロージャ１０１の内部に格納されているものである。
【００２９】
〔蛇腹筒１１０、バスレフダクト１１１、おもり１１２の詳細〕
次に、図７〜図１１を参照して、蛇腹筒１１０、バスレフダクト１１１、およびおもり１１２の詳細について説明する。
【００３０】
図７は、おもり１１２を取り付けたバスレフダクト１１１と蛇腹筒１１０との関係を示す図である。蛇腹筒１１０の内部の略中央には、おもり１１２を保持するためのストッパ（保持部）１１５およびストッパ１１６が備えられている。そして、ストッパ１１５は、ストッパ１１６よりも蛇腹筒１１０の径の中心方向に向かう長さが長い。これにより、正しい方向、すなわち、ストッパ１１６からストッパ１１５に向かう方向に、おもり１１２が取付けられたバスレフダクト１１１が挿入されると、おもり１１２はストッパ１１６を通り抜けストッパ１１５により確実に保持される。また、保持された状態では、おもり１１２はストッパ１１６にも保持されることになる。また、おもり１１２は、その側面が、蛇腹筒１１０の内面と接触するように蛇腹筒１１０の内部で保持される。
【００３１】
図８は、バスレフダクト１１１とおもり１１２との関係を示す図であり、（ａ）は横から見た側面図であり、（ｂ）は斜めから見た斜視図である。図８に示すように、おもり１１２は、中央に開口がある円柱形状である。換言すれば円柱形状の軸方向に開口部が設けられている。開口部をバスレフダクト１１１が貫通することにより、バスレフダクト１１１の固定部におもり１１２が保持される。なお、図８に示す例では、円盤形状のおもりを複数組み合わせることにより円柱形状を形成しているが、これに限定されるものではない。図８に示すように、バスレフダクト１１１は、おもり１１２を保持するために、おもり１１２の開口部の半径よりも大きい固定部と、端部から中央に向かって半径が大きくなるテーパ形状の挿入部とを有する。そして、テーパ形状の固定部側は、おもり１１２の開口の半径よりも若干、半径が大きくなっている。これにより、おもり１１２をバスレフダクト１１１に容易に挿入できるとともに、一旦、挿入されると、固定部と挿入部とで確実におもり１１２を保持できる。
なお、固定部と挿入部とによりおもり１１２を固定するのでこれらを総称して１対の固定部と呼ぶこともできる。
【００３２】
図９は、蛇腹筒１１０とバスレフダクト１１１との関係を示す図である。図９の（ａ）は正しい方向からバスレフダクト１１１を蛇腹筒１１０に挿入する例を示す図であり、（ｂ）は誤った方向からバスレフダクト１１１を蛇腹筒１１０に挿入する例を示す図である。
【００３３】
図９に示すように、バスレフダクト１１１の固定部の直径Ａと、蛇腹筒１１０の端部それぞれの直径Ｂ、Ｃは、全て長さが異なり、その関係は、Ｂ＞Ａ＞Ｃとなっている。すなわち、蛇腹筒１１０の両端部の直径は異なっているとともに、バスレフダクト１１１の固定部の直径は、蛇腹筒１１０の両端部の直径の間である。これにより、バスレフダクト１１１は、半径がＢの端部から蛇腹筒１１０に挿入することは可能であるが、半径がＣの端部からは挿入することが不可能となる。これにより誤った方向からバスレフダクト１１１を挿入してしまうことを防止することができる（図９の（ｂ）参照）。
【００３４】
図１０は、蛇腹筒１１０の両端部の径の違いの利点を説明するための図である。図１０の（ａ）に示すように蛇腹筒１１０のスピーカユニット１０２とは反対側の端部の径を、小さくすることで、蛇腹筒１１０がエンクロージャ１０１の曲面部分に配置された際、エンクロージャ１０１との接触を回避できるので好適である（図１０の（ｂ）の破線で示す領域参照）。同端部は、振幅量が中央部に比べて少ない為、端部の径を小さくしても蛇腹筒１１０全体としての振動性能への影響は少ない。
【００３５】
図１１は、バスレフダクト１１１の固定部の詳細を示す図であり、（ａ）は、蛇腹筒１１０に、おもり１１２を取り付けたバスレフダクト１１１が挿入されている状態の側面図であり、（ｂ）は（ａ）のＤ領域を拡大し、おもり１１２を取り除いた状態を示す図である。
【００３６】
図１１の（ｂ）に示すように、バスレフダクト１１１の固定部のおもり１１２が接触する側の面は、径方向外側にいくに従って、おもり１１２側に湾曲するような凹形状を有している。スピーカユニット１０２の振動板による気圧の変動に基づく空気は、図１１の（ａ）に矢印で示すように、蛇腹筒１１０の内部を進み、バスレフダクト１１１とおもり１１２の間を進もうとする。ここで、本実施形態のように、バスレフダクト１１１の固定部が凹形状を有すれば、バスレフダクト１１１の固定部とおもり１１２との密着度合が高まり、バスレフダクト１１１とおもり１１２との間を空気が進むことが難しくなる。これにより、空気がバスレフダクト１１１とおもり１１２との間から漏れることを抑制することができ、スピーカユニット１０２の振動板による気圧の変動に基づいて、確実におもり１１２を振動させることができる。
【００３７】
〔まとめ〕
本発明の態様１に係るウェアラブルスピーカシステム１００は、Ｕ字状のエンクロージャ１０１を有するウェアラブルスピーカシステム１００であって、スピーカユニット１０２と、端部の一方が、前記スピーカユニット１０２の内部と連通するバスレフダクト１１１であって、前記エンクロージャ１０１の内部に格納されているバスレフダクト１１１と、を備え、前記エンクロージャ１０１には開口部１０３が設けられており、前記バスレフダクト１１１の端部の他方は前記エンクロージャ１０１の内部に格納されていることを特徴としている。
【００３８】
上記の構成によれば、バスレフダクトの端部が、エンクロージャの開口部となっていないので、バスレフダクトから出力される風切音がエンクロージャから直接出力されることがない。これにより、ユーザに対しに、風切音が直接聞こえてしまうということを抑制することでき、ユーザに不快感、違和感を与えてしまうことを防止することができる。
【００３９】
本発明の態様２に係るウェアラブルスピーカシステム１００では、前記態様１において、前記開口部１０３は、前記エンクロージャ１０１のＵ字状の内側側面に設けられているものであってもよい。
【００４０】
上記の構成によれば、ユーザに対し風切音が直接聞こえてしまうことを抑制しつつ、バスレフダクトからの低音域の出力をユーザに認識させることができる。
【００４１】
本発明の態様３に係るウェアラブルスピーカシステム１００では、前記態様１または２において、前記バスレフダクト１１１の前記スピーカユニット１０２の内部と連通していない端部に吸音材１０４が備えられていてもよい。
【００４２】
上記の構成によれば、バスレフダクトからの風切音がユーザに聞こえてしまうことをより抑制することができる。
【００４３】
本発明の態様４に係るウェアラブルスピーカシステム１００では、前記態様１〜３の何れかにおいて、前記エンクロージャ１０１の内部に、前記スピーカユニット１０２と内部同士で連通する蛇腹筒１１０を備え、前記バスレフダクト１１１は前記蛇腹筒１１０を貫通するように設けられており、前記開口部１０３は、前記エンクロージャ１０１の前記蛇腹筒１１０と対応する位置に設けられているものであってもよい。
【００４４】
上記の構成によれば、開口部は、バスレフダクトの端部から離れた位置となるので、ユーザに対しに、風切音が直接聞こえてしまうということを抑制することできるとともに、ユーザに対しバスレフダクトからの低音域の出力をユーザに認識させることができる。
【００４５】
本発明の態様５に係るウェアラブルスピーカシステム１００では、前記態様１〜４の何れかにおいて、前記開口部１０３は複数設けられているとともに、前記エンクロージャ１０１の端部から離れるに従って、大きくなるものであってもよい。
【００４６】
上記の構成によれば、ユーザに対しに、風切音が直接聞こえてしまうということを抑制することできるとともに、ユーザに対しバスレフダクトからの低音域の出力をユーザに認識させることができる。
【００４７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００４８】
１００  ウェアラブルスピーカシステム
１０１  エンクロージャ
１０２（１０２Ｌ、１０２Ｒ）  スピーカユニット
１０３（１０３Ｌ、１０３Ｒ）  開口部
１０４  吸音材
１１０  蛇腹筒
１１１  バスレフダクト（ダクトチューブ）
１１２  おもり（錐体）
１１５、１１６  ストッパ（保持部）
【図１】
2020136963.tif 000003
【図２】
2020136963.tif 000004
【図３】
2020136963.tif 000005
【図４】
2020136963.tif 000006
【図５】
2020136963.tif 000007
【図６】
2020136963.tif 000008
【図７】
2020136963.tif 000009
【図８】
2020136963.tif 000010
【図９】
2020136963.tif 000011
【図１０】
2020136963.tif 000012
【図１１】
2020136963.tif 000013